(57)【要約】    【課題】  全系が小型で、高ズーム比でしかも像ぶれ補正に際して高い光学性能を維持することが容易なズームレンズを得ること。    【解決手段】  物体側より像側へ順に配置された、正の屈折力の第１レンズ群、負の屈折力の第２レンズ群、正の屈折力の第３レンズ群、正の屈折力の第４レンズ群、正の屈折力の第５レンズ群、１つ以上のレンズ群を含む後群より構成され、ズーミングに際して少なくとも第１レンズ群、第２レンズ群、第３レンズ群、第４レンズ群、第５レンズ群が移動し、ズーミングに際して隣り合うレンズ群の間隔が変化するズームレンズであって、像ぶれ補正に際して第４レンズ群が光軸に対して垂直方向の成分を持つ方向に移動すること。【選択図】    図１
2018036364.tif 000002
【特許請求の範囲】
【請求項１】
物体側より像側へ順に配置された、正の屈折力の第１レンズ群、負の屈折力の第２レンズ群、正の屈折力の第３レンズ群、正の屈折力の第４レンズ群、正の屈折力の第５レンズ群、１つ以上のレンズ群を含む後群より構成され、
ズーミングに際して少なくとも前記第１レンズ群、前記第２レンズ群、前記第３レンズ群、前記第４レンズ群、前記第５レンズ群が移動し、ズーミングに際して隣り合うレンズ群の間隔が変化するズームレンズであって、像ぶれ補正に際して前記第４レンズ群が光軸に対して垂直方向の成分を持つ方向に移動することを特徴とするズームレンズ。
【請求項２】
前記第３レンズ群の焦点距離をｆ３、前記第４レンズ群の焦点距離をｆ４とするとき、
０．５＜ｆ４／ｆ３＜５．０
なる条件式を満足することを特徴とする請求項１に記載のズームレンズ。
【請求項３】
無限遠に合焦しているときの望遠端における前記第４レンズ群の横倍率をβｉｓｔ、無限遠に合焦しているときの望遠端における前記第５レンズ群から最も像側に配置されたレンズ群までの合成系の横倍率をβｒｔとするとき、
１．０＜（１−βｉｓｔ）βｒｔ＜５．０
なる条件式を満足することを特徴とする請求項１又は２に記載のズームレンズ。
【請求項４】
広角端から望遠端までのズーミングにおける前記第４レンズ群の移動量をｍ４、広角端における全系の焦点距離をｆｗとするとき、
１．０＜ｍ４／ｆｗ＜２．０
なる条件式を満足することを特徴とする請求項１乃至３のいずれか１項に記載のズームレンズ。
【請求項５】
広角端から望遠端までのズーミングにおける前記第３レンズ群の移動量をｍ３、広角端における全系の焦点距離をｆｗとするとき、
１．０＜ｍ３／ｆｗ＜５．０
なる条件式を満足することを特徴とする請求項１乃至４のいずれか１項に記載のズームレンズ。
【請求項６】
前記第４レンズ群の焦点距離をｆ４、望遠端における全系の焦点距離をｆｔとするとき、
０．０５＜ｆ４／ｆｔ＜２．００
なる条件式を満足することを特徴とする請求項１乃至５のいずれか１項に記載のズームレンズ。
【請求項７】
前記第３レンズ群の焦点距離をｆ３、望遠端における全系の焦点距離をｆｔとするとき、
０．０１＜ｆ３／ｆｔ＜１．００
なる条件式を満足することを特徴とする請求項１乃至６のいずれか１項に記載のズームレンズ。
【請求項８】
前記第５レンズ群の焦点距離をｆ５、望遠端における全系の焦点距離をｆｔとするとき、
０．１＜ｆ５／ｆｔ＜１．０
なる条件式を満足することを特徴とする請求項１乃至７のいずれか１項に記載のズームレンズ。
【請求項９】
前記第３レンズ群の焦点距離をｆ３、望遠端における前記第３レンズ群と前記第４レンズ群の間隔をＢＬ３４ｔ、広角端における前記第３レンズ群と前記第４レンズ群の間隔をＢＬ３４ｗとするとき、
１０．０＜ｆ３／|ＢＬ３４ｔ−ＢＬ３４ｗ|＜５００．０
なる条件式を満足することを特徴とする請求項１乃至８のいずれか１項に記載のズームレンズ。
【請求項１０】
前記第１レンズ群の焦点距離をｆ１、広角端における全系の焦点距離をｆｗとするとき、
２．０＜ｆ１／ｆｗ＜２０．０
なる条件式を満足することを特徴とする請求項１乃至４のいずれか１項に記載のズームレンズ。
【請求項１１】
ズーミングに際して、前記第３レンズ群と前記第５レンズ群の間隔は変化しないことを特徴とする請求項１乃至１０のいずれか１項に記載のズームレンズ。
【請求項１２】
前記第４レンズ群は負レンズと正レンズを接合した接合レンズから構成されることを特徴とする請求項１乃至１１のいずれか１項に記載のズームレンズ。
【請求項１３】
前記第４レンズ群は１枚の正レンズから構成されることを特徴とする請求項１乃至１１のいずれか１項に記載のズームレンズ。
【請求項１４】
前記後群は、物体側から像側に配置された、負の屈折力の第６レンズ群、負の屈折力の第７レンズ群、正の屈折力の第８レンズ群から構成されることを特徴とする請求項１乃至１３のいずれか１項に記載のズームレンズ。
【請求項１５】
前記後群は、物体側から像側に配置された、負の屈折力の第６レンズ群、負の屈折力の第７レンズ群から構成されることを特徴とする請求項１乃至１３のいずれか１項に記載のズームレンズ。
【請求項１６】
前記後群は、負の屈折力の第６レンズ群から構成されることを特徴とする請求項１乃至１３のいずれか１項に記載のズームレンズ。
【請求項１７】
請求項１乃至１６のいずれか１項に記載のズームレンズと、該ズームレンズによって形成される像を受光する撮像素子を有することを特徴とする撮像装置。
【発明の詳細な説明】
【技術分野】
【０００１】
本発明は、ズームレンズ及びそれを有する撮像装置に関し、例えばデジタルカメラ、ビデオカメラ、放送用カメラ、監視用カメラ、銀塩写真用カメラなどの撮像装置の撮像光学系として好適なものである。
【背景技術】
【０００２】
近年、撮像装置は高機能化され、又装置全体が小型化されている。それに伴い撮像装置に用いる撮像光学系としては、高いズーム比（変倍比）で全ズーム範囲にわたり高い光学性能を有し、レンズ全長が短く、特にレンズ鏡筒径が小さい小型のズームレンズであることが要求されている。また、手ぶれ等による撮影画像のぶれ（像ぶれ）を補正し、光学性能の低下を防止する防振機能を有すること等が要望されている。
【０００３】
従来、最も物体側に正の屈折力のレンズ群を配置したポジティブリード型で、ズームレンズを構成する一部のレンズ群で像ぶれ補正を行ったズームレンズが知られている（特許文献１、２）。特許文献１では、物体側より像側へ順に、正、負、正、正の屈折力の第１レンズ群乃至第４レンズ群より構成され、ズーミングに際して隣り合うレンズ群の間隔が変化するズームレンズを開示している。特許文献１では像ぶれ補正を第３レンズ群を構成する一部の負の屈折力の部分群で行っている。
【０００４】
特許文献２では、物体側より像側へ順に、正、負、正、負、正の屈折力の第１レンズ群乃至第５レンズ群より構成され、ズーミングに際して隣り合うレンズ群の間隔が変化するズームレンズを開示している。特許文献２では像ぶれ補正を第４レンズ群を構成する一部の負の屈折力の部分群で行っている。
【先行技術文献】
【特許文献】
【０００５】
【特許文献１】特開２０１５−１１８２１４号公報
【特許文献２】特開２０１０−２７１３６２号公報
【発明の概要】
【発明が解決しようとする課題】
【０００６】
ポジティブリード型のズームレンズにおいて、全系の小型化を図りつつ高ズーム比で全ズーム範囲で高い光学性能を得ること、そして像ぶれ補正に際して高い光学性能を維持するには、ズームレンズを構成する各要素を適切に設定することが重要となってくる。例えば高ズーム比化を図りつつ、全ズーム範囲で高い光学性能を得るにはズームタイプ（レンズ群の数や各レンズ群の屈折力等）を適切に設定することが重要になってくる。また像ぶれ補正機構を有するレンズ鏡筒は、レンズ鏡筒径が増大する傾向がある。
【０００７】
これに対して像ぶれ補正用のレンズ群の屈折力を強めて、像ぶれ補正用のレンズ群の移動量を少なくし、レンズ鏡筒径の小型化を図ろうとすると、所謂、製造誤差の敏感度が高くなる。このため、像ぶれ補正に際して光学性能を良好に維持するのが困難になってくる。レンズ鏡筒径の小型化を図りつつ、像ぶれ補正の際の光学性能を良好に維持するには、ズームタイプ及び像ぶれ補正用のレンズ群の選定やその屈折力等を適切に設定することが重要になってくる。
【０００８】
特許文献１のズームレンズは、第３レンズ群の一部の負の屈折力の部分群で像ぶれ補正を行っている。特許文献１では第３レンズ群自体の正の屈折力を強めるために、負の屈折力の部分群より前方の部分群の正の屈折力を強くしている。この結果、第３レンズ群内の製造誤差の敏感度が高くなる傾向があった。また、正、負、正、正の屈折力のレンズ群よりなる４群構成であるため、高ズーム比化を図りつつ、像ぶれ補正の際に良好な光学性能を得るのが難しくなる傾向があった。
【０００９】
特許文献２のズームレンズは、第４レンズ群の像ぶれ補正用の部分群の小型化を図るため、物体側の直前の第３レンズ群の正の屈折力を高める必要がある。このため、ズーミングに際して諸収差の変動を軽減することが難しくなる傾向があった。
【００１０】
本発明は、全系が小型で、高ズーム比でしかも像ぶれ補正に際して高い光学性能を維持することが容易なズームレンズ及びそれを有する撮像装置の提供を目的とする。
【課題を解決するための手段】
【００１１】
本発明のズームレンズは、物体側より像側へ順に配置された、正の屈折力の第１レンズ群、負の屈折力の第２レンズ群、正の屈折力の第３レンズ群、正の屈折力の第４レンズ群、正の屈折力の第５レンズ群、１つ以上のレンズ群を含む後群より構成され、
ズーミングに際して少なくとも前記第１レンズ群、前記第２レンズ群、前記第３レンズ群、前記第４レンズ群、前記第５レンズ群が移動し、ズーミングに際して隣り合うレンズ群の間隔が変化するズームレンズであって、像ぶれ補正に際して前記第４レンズ群が光軸に対して垂直方向の成分を持つ方向に移動することを特徴としている。
【発明の効果】
【００１２】
本発明によれば、全系が小型で、高ズーム比でしかも像ぶれ補正に際して高い光学性能を維持することが容易なズームレンズが得られる。
【図面の簡単な説明】
【００１３】
【図１】実施例１のズームレンズのレンズ断面図
【図２】（Ａ）、（Ｂ）  実施例１のズームレンズの無限遠に合焦時における広角端と望遠端における縦収差図
【図３】（Ａ）、（Ｂ）  実施例１のズームレンズの無限遠に合焦時における広角端と望遠端における横収差図
【図４】（Ａ）、（Ｂ）  実施例１のズームレンズの無限遠に合焦時における０．３度の防振時の広角端と望遠端における収差図
【図５】実施例２のズームレンズのレンズ断面図
【図６】（Ａ）、（Ｂ）  実施例２のズームレンズの無限遠に合焦時における広角端と望遠端における縦収差図
【図７】（Ａ）、（Ｂ）  実施例２のズームレンズの無限遠に合焦時における広角端と望遠端における横収差図
【図８】（Ａ）、（Ｂ）  実施例２のズームレンズの無限遠に合焦時における０．３度の防振時の広角端と望遠端における収差図
【図９】実施例３のズームレンズのレンズ断面図
【図１０】（Ａ）、（Ｂ）  実施例３のズームレンズの無限遠に合焦時における広角端と望遠端における縦収差図
【図１１】（Ａ）、（Ｂ）  実施例３のズームレンズの無限遠に合焦時における広角端と望遠端における横収差図
【図１２】（Ａ）、（Ｂ）  実施例４のズームレンズの無限遠に合焦時における０．３度の防振時の広角端と望遠端における収差図
【図１３】実施例４のズームレンズのレンズ断面図
【図１４】（Ａ）、（Ｂ）  実施例４のズームレンズの無限遠に合焦時における広角端と望遠端における縦収差図
【図１５】（Ａ）、（Ｂ）  実施例４のズームレンズの無限遠に合焦時における広角端と望遠端における横収差図
【図１６】（Ａ）、（Ｂ）  実施例４のズームレンズの無限遠に合焦時における０．３度の防振時の広角端と望遠端における収差図
【図１７】実施例５のズームレンズのレンズ断面図
【図１８】（Ａ）、（Ｂ）  実施例５のズームレンズの無限遠に合焦時における広角端と望遠端における縦収差図
【図１９】（Ａ）、（Ｂ）  実施例５のズームレンズの無限遠に合焦時における広角端と望遠端における横収差図
【図２０】（Ａ）、（Ｂ）  実施例５のズームレンズの無限遠に合焦時における０．３度の防振時の広角端と望遠端における収差図
【図２１】本発明のズームレンズを搭載したデジタル一眼レフカメラ（撮像装置）の要部概略図
【発明を実施するための形態】
【００１４】
以下に本発明の好ましい実施の形態を、添付の図面に基づいて説明する。本発明のズームレンズは、物体側より像側へ順に配置された、正の屈折力の第１レンズ群、負の屈折力の第２レンズ群、正の屈折力の第３レンズ群、正の屈折力の第４レンズ群、正の屈折力の第５レンズ群、１つ以上のレンズ群を含む後群から構成される。広角端から望遠端へのズーミングに際して、少なくとも第１レンズ群、第２レンズ群、第３レンズ群、第４レンズ群、第５レンズ群が移動し、ズーミングに際して隣り合うレンズ群の間隔が変化する。像ぶれ補正に際して第４レンズ群が光軸に対して垂直方向の成分を持つ方向に移動する。
【００１５】
図１は実施例１の無限遠に合焦時（フォーカス時）の広角端（短焦点距離端）におけるレンズ断面図である。図２（Ａ）、（Ｂ）は実施例１の無限遠に合焦時の広角端、望遠端（長焦点距離端）における収差図である。図３（Ａ）、（Ｂ）は実施例１の無限遠に合焦時の広角端と望遠端における横収差図である。図４（Ａ）、（Ｂ）は実施例１の無限遠に合焦時で０．３度の像振れ補正をしたときの広角端と望遠端における横収差図である。実施例１はズーム比７．８３、Ｆナンバー３．６０〜６．４９のズームレンズである。
【００１６】
図５は実施例２の無限遠に合焦時の広角端におけるレンズ断面図である。図６（Ａ）、（Ｂ）は実施例２の無限遠に合焦時の広角端、望遠端における収差図である。図７（Ａ）、（Ｂ）は実施例２の無限遠に合焦時の広角端と望遠端における横収差図である。図８（Ａ）、（Ｂ）は実施例２の無限遠に合焦時で０．３度の像振れ補正をしたときの広角端と望遠端における横収差図である。実施例２はズーム比７．８１、Ｆナンバー３．６１〜５．７８のズームレンズである。
【００１７】
図９は実施例３の無限遠に合焦時の広角端におけるレンズ断面図である。図１０（Ａ）、（Ｂ）は実施例３の無限遠に合焦時の広角端、望遠端における収差図である。図１１（Ａ）、（Ｂ）は実施例３の無限遠に合焦時の広角端と望遠端における横収差図である。図１２（Ａ）、（Ｂ）は実施例３の無限遠に合焦時で０．３度の像振れ補正をしたときの広角端と望遠端における横収差図である。実施例３はズーム比７．８１、Ｆナンバー３．６０〜６．４９のズームレンズである。
【００１８】
図１３は実施例４の無限遠に合焦時の広角端におけるレンズ断面図である。図１４（Ａ）、（Ｂ）は実施例４の無限遠に合焦時の広角端、望遠端における収差図である。図１５（Ａ）、（Ｂ）は実施例４の無限遠に合焦時の広角端と望遠端における横収差図である。図１６（Ａ）、（Ｂ）は実施例４の無限遠に合焦時で０．３度の像振れ補正をしたときの広角端と望遠端における横収差図である。実施例４はズーム比７．４０、Ｆナンバー３．６０〜６．４９のズームレンズである。
【００１９】
図１７は実施例５の無限遠に合焦時の広角端におけるレンズ断面図である。図１８（Ａ）、（Ｂ）は実施例５の無限遠に合焦時の広角端、望遠端における収差図である。図１９（Ａ）、（Ｂ）は実施例５の無限遠に合焦時の広角端と望遠端における横収差図である。図２０（Ａ）、（Ｂ）は実施例５の無限遠に合焦時で０．３度の像振れ補正をしたときの広角端と望遠端における横収差図である。実施例５はズーム比９．９６、Ｆナンバー３．６１〜６．４９のズームレンズである。
【００２０】
図２１は本発明のズームレンズを搭載したデジタル一眼レフカメラ（撮像装置）の要部概略図である。
【００２１】
本発明のズームレンズはデジタルカメラ、ビデオカメラ、放送用カメラ、監視用カメラ、銀塩写真用カメラなどの撮像装置の撮像光学系として用いられる。尚、本発明のズームレンズは投射装置（プロジェクタ）用の投射光学系として用いることもできる。
【００２２】
レンズ断面図において、左方が物体側（前方）で、右方が像側（後方）である。また、レンズ断面図において、Ｌ０はズームレンズである。またｉを物体側からのレンズ群の順番とすると、Ｌｉは第ｉレンズ群である。ＬＲは１つ以上のレンズ群を含む後群である。ＩＳは像ぶれ補正に際して、光軸に対して垂直方向の成分を持つ方向に移動する像ぶれ補正群（防振群）である。
【００２３】
ＳＰは開口絞りである。Ｇは光学フィルター、フェースプレート等の光学ブロックである。ＩＰは像面である。像面ＩＰは、デジタルカメラやビデオカメラなどの撮像装置としてズームレンズを使用する際には、ＣＣＤセンサーやＣＭＯＳセンサーなどの撮像素子（光電変換素子）の撮像面に相当する。
【００２４】
銀塩フィルムカメラの撮像装置としてズームレンズを使用する際には、フィルム面に相当する。矢印は広角端から望遠端へのズーミングに際して、各レンズ群の移動軌跡を示している。フォーカスに関する矢印は無限遠から近距離へのフォーカシングに際してのフォーカスレンズ群の移動方向を示す。ＩＳに関する矢印は像ぶれ補正に際してのレンズ群の移動方向を示す。
【００２５】
球面収差図において、ＦｎｏはＦナンバーである。また実線のｄはｄ線（波長５８７．６ｎｍ）、２点鎖線のｇはｇ線（波長４３５．８ｎｍ）である。非点収差図で点線のΔＭはｄ線におけるメリディオナル像面、実線のΔＳはｄ線におけるサジタル像面である。歪曲収差図はｄ線について示している。倍率色収差図はｇ線について示している。ωは半画角（度）である。横収差図において実線のＭはｄ線のメリディオナル像面、点線のＳはｄ線のサジタル像面である。
【００２６】
各実施例のズームレンズは、物体側から像側へ順に配置された、次のレンズ群より構成されている。正の屈折力の第１レンズ群Ｌ１、負の屈折力の第２レンズ群Ｌ２、開口絞りＳＰ、正の屈折力の第３レンズ群Ｌ３、正の屈折力の第４レンズ群Ｌ４、正の屈折力の第５レンズ群Ｌ５、１つ以上のレンズ群を含む後群ＬＲから構成されている。
【００２７】
各実施例のズームレンズは、第１レンズ群Ｌ１、第２レンズ群Ｌ２、第３レンズ群Ｌ３の移動により主に変倍を行っている。広角端から望遠端へのズーミングに際して第１レンズ群Ｌ１は、物体側へ移動することで広角端における前玉有効径を小型化しつつ、高ズーム比化を図っている。また、第３レンズ群Ｌ３は物体側へ移動することで、変倍効果をもたせている。全ズーム領域において、無限遠から近距離へフォーカシングに際してフォーカスの矢印に示す如く、第６レンズ群Ｌ６は像側へ移動する。像ぶれ補正に際して第４レンズ群Ｌ４は光軸に対して垂直方向の成分を持つ方向に移動する。
【００２８】
各実施例における構成について説明する。各実施例は、物体側から像側へ順に配置された、正、負、正、正、正の屈折力の第１レンズ群Ｌ１乃至第５レンズ群Ｌ５を含む５群以上のレンズ群よりなるズームレンズである。像ぶれ補正に際して第４レンズ群Ｌ４が光軸に対して垂直方向の成分を持つ方式に移動する。
【００２９】
正の屈折力のレンズ群が３つ続くレンズ群のうち、正の屈折力の第４レンズ群Ｌ４は、軸上光束及び周辺像高のマージナル光線が交わるため、レンズの有効径を最も小型化しやすいという特徴がある。そのため、像ぶれ補正に際して第４レンズ群Ｌ４を移動することがレンズ鏡筒径の小型化の観点から好適である。また、第３レンズ群Ｌ３と第４レンズ群Ｌ４と第５レンズ群Ｌ５をそれぞれ正の屈折力とすることで、全体としての正の屈折力を分散することで、組み立て製造誤差に対する敏感度を低減している。
【００３０】
更に、正の屈折力の第３レンズ群Ｌ３に続く第４レンズ群Ｌ４を正の屈折力とすることで、第３レンズ群Ｌ３の正の屈折力を強くする必要がなく、第４レンズ群Ｌ４で像ぶれ補正をする際に高い光学性能を維持している。また、第３レンズ群Ｌ３と第４レンズ群Ｌ４をズーミングに際し、独立した、即ち異なる軌跡を描いて移動することにより、ズーム中間領域における光学性能の変動を軽減している。
【００３１】
実施例１、２、５において、後群ＬＲは、物体側から像側に配置された、負の屈折力の第６レンズ群Ｌ６、負の屈折力の第７レンズ群Ｌ７、正の屈折力の第８レンズ群Ｌ８から構成されている。実施例３において、後群ＬＲは、物体側から像側に配置された、負の屈折力の第６レンズ群Ｌ６、負の屈折力の第７レンズ群Ｌ７から構成されている。実施例４において、後群ＬＲは負の屈折力の第６レンズ群Ｌ６より構成されている。
【００３２】
各実施例において好ましくは次の条件式のうち１つ以上を満足するのが良い。第３レンズ群Ｌ３の焦点距離をｆ３、第４レンズ群Ｌ４の焦点距離をｆ４とする。無限遠に合焦しているときの望遠端における第４レンズ群Ｌ４の横倍率をβｉｓｔ、無限遠に合焦しているときの望遠端における第５レンズ群Ｌ５から最も像側に配置されているレンズ群までの合成系の横倍率をβｒｔとする。
【００３３】
広角端から望遠端までのズーミングにおける第４レンズ群Ｌ４の移動量をｍ４、広角端における全系の焦点距離をｆｗとする。広角端から望遠端までのズーミングにおける第３レンズ群Ｌ３の移動量をｍ３とする。望遠端における全系の焦点距離をｆｔとする。第５レンズ群Ｌ５の焦点距離をｆ５とする。望遠端における第３レンズ群Ｌ３と第４レンズ群Ｌ４の間隔をＢＬ３４ｔ、広角端における第３レンズ群Ｌ３と第４レンズ群Ｌ４の間隔をＢＬ３４ｗとする。第１レンズ群Ｌ１の焦点距離をｆ１とする。このとき、次の条件式のうち１つ以上を満足するのが良い。
【００３４】
０．５＜ｆ４／ｆ３＜５．０              ・・・（１）
１．０＜（１−βｉｓｔ）βｒｔ＜５．０  ・・・（２）
１．０＜ｍ４／ｆｗ＜２．０              ・・・（３）
１．０＜ｍ３／ｆｗ＜５．０              ・・・（４）
０．０５＜ｆ４／ｆｔ＜２．００          ・・・（５）
０．０１＜ｆ３／ｆｔ＜１．００          ・・・（６）
０．１＜ｆ５／ｆｔ＜１．０              ・・・（７）
１０．０＜ｆ３／|ＢＬ３４ｔ−ＢＬ３４ｗ|＜５００．０  ・・・（８）
２．０＜ｆ１／ｆｗ＜２０．０            ・・・（９）
【００３５】
次に前述の各条件式の技術的意味について説明する。条件式（１）は像ぶれ補正の際の光学性能を良好に維持しつつ、像ぶれ補正用のレンズ群の小型化を図るために、第３レンズ群Ｌ３の焦点距離と第４レンズ群Ｌ４の焦点距離の比を規定している。
【００３６】
条件式（１）の上限を超えて、第４レンズ群Ｌ４の焦点距離が長くなると、相対的に第３レンズ群Ｌ３の正の屈折力を強くする必要がある。そうすると像ぶれ補正に際して像面湾曲の変動やコマ収差の変動を抑えることが難しくなる。また製造誤差に関する敏感度も高まるので好ましくない。条件式（１）の下限を超えて第４レンズ群Ｌ４の焦点距離が短くなると、相対的に第３レンズ群Ｌ３の正の屈折力を弱めることになり、像ぶれ補正に際して第４レンズ群Ｌ４に入射する光束幅が十分に収斂せず、像ぶれ補正用のレンズ群の有効径が増大してくる。
【００３７】
条件式（２）は望遠端において第４レンズ群Ｌ４が光軸方向に対して垂直方向に偏心したときに対する像面の垂直方向のズレ量、所謂、偏心敏感度に関する。条件式（２）の数値範囲に第４レンズ群Ｌ４の偏心敏感度があることで、像ぶれ補正に際して光学性能を良好に維持しつつ、第４レンズ群Ｌ４の小型化を図っている。
【００３８】
条件式（２）の上限を超えて、第４レンズ群Ｌ４の偏心敏感度が高くなると、像ぶれ補正に際して光学性能を良好に維持するために、レンズ枚数を増やす必要があり、第４レンズ群Ｌ４の重量が増加してくるので好ましくない。また、像ぶれ補正に際して駆動制御を高精度に行う必要があり、好ましくない。条件式（２）の下限を超えて、第４レンズ群Ｌ４の偏心敏感度が低くなると、所望の像ぶれ補正を得るために、第４レンズ群Ｌ４を垂直方向に大きく駆動する必要があり、第４レンズ群Ｌ４が大型化してくるので好ましくない。
【００３９】
条件式（３）は広角端における全系の焦点距離ｆｗとズーミングにおける第４レンズ群Ｌ４の移動量ｍ４の比を規定する。ここでレンズ群の移動量とは広角端と望遠端におけるレンズ群の光軸上の位置の差であり、移動量の符号は広角端に比べて望遠端において物体側に位置するときを負、像側に位置するときを正とする。条件式（３）の上限を超えて、広角端における全系の焦点距離が短くなると、第１レンズ群Ｌ１の有効径が大きくなり、全系が大型化してくる。あるいは、第４レンズ群Ｌ４の移動量が大きくなると、望遠端におけるレンズ全長が長くなり、全系が大型化してくる。
【００４０】
条件式（３）の下限を超えて、広角端における全系の焦点距離が長くなると、高いズーム比を得ることが困難となる。あるいは、第４レンズ群Ｌ４の移動量が小さくなると、高いズーム比を得るために第４レンズ群Ｌ４の屈折力を強くする必要があり、そうすると球面収差やコマ収差などの諸収差が増大し、像ぶれ補正の際の光学性能が低下してくるので良くない。
【００４１】
条件式（４）は広角端における全系の焦点距離ｆｗと、ズーミングにおける第３レンズ群Ｌ３の移動量ｍ３の比を規定する。条件式（４）の上限を超えて、広角端における全系の焦点距離が短くなると、条件式（３）と同様に、第１レンズ群Ｌ１の有効径が大きくなり、全系が大型化してくる。あるいは、第３レンズ群Ｌ３のズーミングに際しての移動量が大きくなると、望遠端におけるレンズ全長が長くなり、全系が大型化してくる。
【００４２】
条件式（４）の下限を超えて、広角端における全系の焦点距離が長くなると、高いズーム比を得ることが困難となる。あるいは、第３レンズ群Ｌ３の移動量が小さくなると、高いズーム比を得るために第３レンズ群Ｌ３の屈折力を強くする必要があり、球面収差やコマ収差などの諸収差が増大し、像ぶれ補正の際の光学性能が低下してくるので、好ましくない。
【００４３】
条件式（５）は第４レンズ群Ｌ４の焦点距離ｆ４と、望遠端における全系の焦点距離ｆｔの比を規定する。条件式（５）の上限を超えて、第４レンズ群Ｌ４の焦点距離が長くなると、高いズーム比を得るために、第４レンズ群Ｌ４の移動量を増やす必要があり、全系の小型化が困難になる。或いは、相対的に第３レンズ群Ｌ３の屈折力を高めることが必要になるため、ズーミングにおける収差変動を軽減することが困難となる。条件式（５）の下限を超えて、第４レンズ群Ｌ４の焦点距離が短くなると、第４レンズ群Ｌ４の屈折力が強くなりすぎ、像ぶれ補正に際して光学性能が低下してくる。
【００４４】
条件式（６）は第３レンズ群Ｌ３の焦点距離ｆ３と、望遠端における全系の焦点距離ｆｔの比を規定する。条件式（６）の上限を超えて、第３レンズ群Ｌ３の焦点距離が長くなると、高いズーム比を得るために、第３レンズ群Ｌ３の移動量を増やす必要があり、全系の小型化が困難になる。
【００４５】
或いは、相対的に第４レンズ群Ｌ４の屈折力を高めることが必要になるため、第４レンズ群Ｌ４による像ぶれ補正の際の収差変動が増大するので、好ましくない。条件式（６）の下限を超えて、第３レンズ群Ｌ３の焦点距離が短くなると、第３レンズ群Ｌ３の屈折力が強くなりすぎ、全ズーム範囲において、球面収差やコマ収差の補正が困難となる。
【００４６】
条件式（７）は第５レンズ群Ｌ５の焦点距離ｆ５と、望遠端における全系の焦点距離ｆｔの比を規定する。条件式（７）の上限を超えて、第５レンズ群Ｌ５の焦点距離が長くなると、第３レンズ群Ｌ３の屈折力及び第４レンズ群Ｌ４の屈折力を強くする必要があり、製造誤差に関する敏感度が増大し、好ましくない。条件式（７）の下限を超えて、第５レンズ群Ｌ５の焦点距離が短くなると、第３レンズ群Ｌ３と第４レンズ群Ｌ４の屈折力を弱める必要があり、結果として像ぶれ補正の際に第４レンズ群Ｌ４に入る光束径を十分に小さくすることが困難となる。この結果、第４レンズ群Ｌ４の小型化が困難となる。
【００４７】
条件式（８）は第４レンズ群Ｌ４のズーミングに際しての移動量を適切に定めるためのものである。条件式（８）は第３レンズ群Ｌ３の焦点距離ｆ３、望遠端における第３レンズ群Ｌ３と第４レンズ群Ｌ４の間隔ＢＬ３４ｔ、広角端における第３レンズ群Ｌ３と第４レンズ群Ｌ４の間隔ＢＬ３４ｗ等を規定している。
【００４８】
条件式（８）の上限を超えて、第３レンズ群Ｌ３の焦点距離が長くなると、高いズーム比を得るために、第３レンズ群Ｌ３の移動量が増え、レンズ全長が増大するため好ましくない。或いは、広角端から望遠端へのズーミングに際して第４レンズ群Ｌ４が第３レンズ群Ｌ３に対して相対的な移動量が少なくなるために、ズーム中間領域における光学性能を良好に維持することが難しくなる。
【００４９】
条件式（８）の下限を超えて、第３レンズ群Ｌ３の焦点距離が短くなると、第３レンズ群Ｌ３の屈折力が強くなりすぎ、全ズーム範囲において球面収差やコマ収差を軽減することが困難となる。また、製造誤差に対する敏感度も高くなり、好ましくない。或いは、広角端から望遠端へのズーミングに際して、第４レンズ群Ｌ４が第３レンズ群Ｌ３に対して、大きく移動するために、第４レンズ群Ｌ４に入る光束径の変動が大きくなり、第４レンズ群Ｌ４の小型化が困難となる。
【００５０】
条件式（９）は高ズーム比を得るために、広角端における全系の焦点距離ｆｗと第１レンズ群Ｌ１の焦点距離の比を規定する。条件式（９）の上限を超えて、第１レンズ群Ｌ１の焦点距離が長くなると、広角端において倍率色収差の補正、望遠端において軸上色収差の補正は容易となるが、ズーミングに際して第１レンズ群Ｌ１の移動量が大きくなる。この結果、レンズ全長が増大してくるため好ましくない。
【００５１】
また、条件式（９）の下限値を超えて、第１レンズ群Ｌ１の焦点距離が短くなると、全系の小型化は容易となるが、少ないレンズ枚数で球面収差やコマ収差等を補正することが困難となる。更に、広角端における全系の焦点距離が長くなってしまい、所望のズーム比を得ることが困難となる。
【００５２】
なお、各実施例において、好ましくは、条件式（１）乃至条件式（９）の数値範囲を次の如く設定すると良い。
【００５３】
０．７＜ｆ４／ｆ３＜３．０            ・・・（１ａ）
１．０＜（１−βｉｓｔ）βｒｔ＜４．０・・・（２ａ）
１．１＜ｍ４／ｆｗ＜１．９            ・・・（３ａ）
１．２＜ｍ３／ｆｗ＜４．０            ・・・（４ａ）
０．０５＜ｆ４／ｆｔ＜１．００        ・・・（５ａ）
０．０５＜ｆ３／ｆｔ＜０．５０        ・・・（６ａ）
０．２＜ｆ５／ｆｔ＜１．０            ・・・（７ａ）
３５．０＜ｆ３／|ＢＬ３４ｔ−ＢＬ３４ｗ|＜３５０．０  ・・・（８ａ）
３．０＜ｆ１／ｆｗ＜１０．０          ・・・（９ａ）
【００５４】
また、更に好ましくは、各実施例において、条件式（１ａ）乃至条件式（９ａ）の数値範囲を次の如く設定すると、先に述べた各条件式が意味する効果を最大限に得られる。
【００５５】
０．９＜ｆ４／ｆ３＜１．６            ・・・（１ｂ）
１．１＜（１−βｉｓｔ）βｒｔ＜２．０・・・（２ｂ）
１．２５＜ｍ４／ｆｗ＜１．７０        ・・・（３ｂ）
１．３＜ｍ３／ｆｗ＜３．５            ・・・（４ｂ）
０．１＜ｆ４／ｆｔ＜０．６            ・・・（５ｂ）
０．２＜ｆ３／ｆｔ＜０．３            ・・・（６ｂ）
０．４＜ｆ５／ｆｔ＜０．９            ・・・（７ｂ）
５０．０＜ｆ３／|ＢＬ３４ｔ−ＢＬ３４ｗ|＜２５０．０  ・・・（８ｂ）
３．０＜ｆ１／ｆｗ＜５．０            ・・・（９ｂ）
【００５６】
各実施例において、メカ構造を簡略化するためには、ズーミングに際し、第３レンズ群Ｌ３と第５レンズ群Ｌ５は一体となり、同一軌跡を描くように移動すること、即ち第３レンズ群Ｌ３と第５レンズ群Ｌ５の間隔は変化しないことが好ましい。また、像ぶれ補正用のレンズ群である第４レンズ群Ｌ４は、小型軽量化のために、２枚のレンズを接合した接合レンズから構成すること、或いは、１枚のレンズより構成することが好ましい。
【００５７】
また、第５レンズ群Ｌ５に続く後群ＬＲには、レンズ全長の短縮の観点より、負の屈折力のレンズ群を一つ以上配置することが好ましい。また、全系の小型化を図りつつ、広画角化、高ズーム比化を達成するためには、第１レンズ群Ｌ１のレンズ枚数が少ないほど第１レンズ群Ｌ１を通る軸外光束の入射高さが低くなり、第１レンズ群Ｌ１の有効径を小型化できる。そのため、第１レンズ群Ｌ１のレンズ枚数は４枚以下とするのが良い。
【００５８】
また、第２レンズ群Ｌ２は広角化を容易にするために、物体側より像側へ順に、２枚の負レンズと１枚の正レンズを有することが好ましい。正の屈折力を配置することで、光束を収斂させ、後続するレンズの有効径を小型化することができる。また、ズーミングに際し、第２レンズ群Ｌ２を負の屈折力のレンズ群とし、負レンズ先行のレンズ構成にすることで広画角化に対応している。
【００５９】
各実施例では第３レンズ群Ｌ３に非球面を導入し、第３レンズ群Ｌ３以降の各レンズ群の屈折力を適切に設定している。これによって軸外諸収差、特に非点収差・歪曲収差を良好に補正している。更に広画角化及び高ズーム比を図った際の球面収差、コマ収差を良好に補正している。
【００６０】
各実施例では以上の様に各要素を構成することで、高ズーム比で、レンズ全長が短く、かつレンズ径が小型で、像ぶれ補正の際に良好な光学性能を維持することができるズームレンズを得ている。
【００６１】
次に各実施例のレンズ構成について説明する。実施例１は物体側から像側へ順に、正、負、正、正、正、負、負、正の屈折力の第１レンズ群Ｌ１乃至第８レンズ群Ｌ８から構成されている８群ズームレンズである。広角端から望遠端へのズーミングに際して、第１レンズ群Ｌ１が物体側に直線移動、第２レンズ群Ｌ２が像側に凸状の軌跡で移動する。第３レンズ群Ｌ３と第５レンズ群Ｌ５と第７レンズ群Ｌ７が同じ軌跡で（一体で）物体側に移動し、第４レンズ群Ｌ４が物体側に移動する。第６レンズ群Ｌ６が物体側に移動している。
【００６２】
第８レンズ群Ｌ８はズーミングに際し不動である。像ぶれ補正に際して第４レンズ群Ｌ４が光軸に対して垂直方向の成分持つ方向に移動する。フォーカシングに際して第６レンズ群Ｌ６が移動する。後群ＬＲは第６レンズ群Ｌ６乃至第８レンズ群Ｌ８より構成される。
【００６３】
実施例２は、物体側から像側へ順に、正、負、正、正、正、負、負、正の屈折力の第１レンズ群Ｌ１乃至第８レンズ群Ｌ８から構成されている８群ズームレンズである。広角端から望遠端へのズーミングに際して、第１レンズ群Ｌ１が物体側に直線移動、第２レンズ群Ｌ２が像側に凸状の軌跡で移動する。第３レンズ群Ｌ３と第５レンズ群Ｌ５と第７レンズ群Ｌ７が一体で物体側に移動する。第４レンズ群Ｌ４が物体側に移動する。第６レンズ群Ｌ６が物体側に移動している。
【００６４】
また、第８レンズ群Ｌ８は物体側に移動する。像ぶれ補正に際して第４レンズ群Ｌ４が光軸に対して垂直方向の成分を持つ方向に移動する。フォーカシングに際して第６レンズ群Ｌ６が移動する。後群ＬＲは第６レンズ群Ｌ６乃至第８レンズ群Ｌ８より構成される。
【００６５】
実施例３は、物体側から像側へ順に、正、負、正、正、正、負、負の屈折力の第１レンズ群Ｌ１乃至第７レンズ群Ｌ７から構成されている７群ズームレンズである。
【００６６】
広角端から望遠端へのズーミングに際して、第１レンズ群Ｌ１が物体側に移動、第２レンズ群Ｌ２が像側に凸状の軌跡で移動する。第３レンズ群Ｌ３と第５レンズ群Ｌ５と第７レンズ群Ｌ７が一体で物体側に移動する。第４レンズ群Ｌ４が物体側に移動する。第６レンズ群Ｌ６が物体側に移動する。像ぶれ補正に際して第４レンズ群Ｌ４が光軸に対して垂直方向の成分を持つ方向に移動する。フォーカシングに際して第６レンズ群Ｌ６が移動する。後群ＬＲは第６レンズ群Ｌ６と第７レンズ群Ｌ７より構成される。
【００６７】
実施例４は、物体側から像側へ順に、正、負、正、正、正、負の屈折力の第１レンズ群Ｌ１乃至第６レンズ群Ｌ６から構成されている６群ズームレンズである。広角端から望遠端へのズーミングに際して、第１レンズ群Ｌ１が物体側に移動、第２レンズ群Ｌ２が像側に凸状の軌跡で移動する。第３レンズ群Ｌ３乃至第６レンズ群Ｌ６が互いに異なった軌跡で物体側に移動する。像ぶれ補正に際して第４レンズ群Ｌ４が光軸に対して垂直方向の成分を持つ方向に移動する。フォーカシングに際して、第６レンズ群Ｌ６が移動する。後群ＬＲは第６レンズ群Ｌ６から構成される。
【００６８】
実施例５は、物体側から像側へ順に、正、負、正、正、正、負、負、正の屈折力の第１レンズ群Ｌ１乃至第８レンズ群Ｌ８から構成されている８群ズームレンズである。広角端から望遠端へのズーミングに際して、第１レンズ群Ｌ１が物体側に移動、第２レンズ群が像側に凸状の軌跡で移動する。第３レンズ群Ｌ３乃至第８レンズ群Ｌ８が互いに異なった軌跡で物体側へ移動する。像ぶれ補正に際して第４レンズ群Ｌ４は光軸に対して垂直方向の成分を持つ方向に移動する。フォーカシングに際して、第６レンズ群Ｌ６が移動する。後群ＬＲは第６レンズ群Ｌ６乃至第８レンズ群Ｌ８より構成される。
【００６９】
次に本発明のズームレンズを撮像光学系として用いたデジタルスチルカメラ（撮像装置）の実施例に関して図２１を用いて説明する。
【００７０】
図２１において、１０はカメラ本体、１１は本発明のズームレンズによって構成された撮像光学系である。１２はカメラ本体に内蔵され、撮像光学系１１によって形成された被写体像を受光するＣＣＤセンサやＣＭＯＳセンサ等の固体撮像素子（光電変換素子）である。
【００７１】
このように本発明のズームレンズをデジタルスチルカメラ等の撮像装置に適用することにより、高ズーム比でレンズ全長が短く、全系が小型で、像ぶれ補正の際にも良好な光学性能を有するズームレンズ及び撮像装置が得られる。
【００７２】
以下、実施例１乃至５の具体的な数値データを示す。各数値データにおいて、ｉは物体側から数えた順序を示し、ｒｉは第ｉ番目の光学面（第ｉ面）の曲率半径、ｄｉは第ｉ面と第（ｉ＋１）面との間の軸上間隔を示す。又、ｎｄｉ、νｄｉはそれぞれｄ線に対する第ｉ番目の光学部材の材料の屈折率、アッベ数である。非球面係数は光軸方向にＸ軸、光軸と垂直方向にＨ軸、光の進行方向を正とし、Ｒを近軸曲率半径、Ｋを円錐定数、Ａ４、Ａ６、Ａ８、Ａ１０を各々非球面係数としたとき、
【００７３】
【数１】
2018036364.tif 000003
【００７４】
なる式で表している。
【００７５】
＊は非球面形状を有する面を意味している。「ｅ−ｘ」は１０−ｘを意味している。ＢＦは空気換算のバックフォーカスである。レンズ全長は第１レンズ面から最終レンズ面までの距離にバックフォーカスＢＦの値を加えた値である。また、前述の各条件式と数値データとの関係を表１に示す。 
【００７６】
［数値データ１］
単位 mm
面データ
面番号       r        d      nd         νd
1         98.040    1.60   1.91082    35.3           
2         49.070    5.79   1.49700    81.5           
3       -423.769    0.15                             
4         45.509    4.82   1.59522    67.7           
5        332.437  (可変)                             
6         86.952    1.10   1.95375    32.3           
7         13.484    5.75                             
8        -31.460    0.80   1.77250    49.6           
9         70.614    0.15                             
10         28.240    4.95   1.84666    23.9           
11        -32.556    0.70                             
12        -21.847    0.85   1.69680    55.5           
13       -120.000  (可変)                             
14(絞り)    ∞       0.70                             
15*        13.204    4.34   1.58313    59.4           
16*       -61.870    0.99                             
17         25.887    1.13   1.83481    42.7           
18         12.752  (可変)                             
19         23.617    0.60   1.90366    31.3           
20         12.334    3.07   1.69680    55.5           
21       -186.310  (可変)                             
22       -407.535    3.18   1.51633    64.1           
23        -11.485    0.79   2.00069    25.5           
24        -16.338  (可変)                             
25         69.672    1.63   1.89286    20.4           
26        -69.673    0.70   1.74950    35.3           
27         15.570  (可変)                             
28*       -13.580    1.80   1.53160    55.8           
29*       -20.993  (可変)                             
30        -66.048    2.96   1.76200    40.1           
31        -31.014    7.96                             
32          ∞       1.00   1.54400    60.0           
33          ∞       2.04                             
像面        ∞   
【００７７】
非球面データ
第15面
K = 0.00000e+000  A 4=-3.70870e-005  A 6=-9.06300e-008  A 8= 1.50901e-009  A10= 8.60362e-012  
第16面
K = 0.00000e+000  A 4= 4.21568e-005  A 6=-3.28652e-008  A 8= 2.46762e-009  A10= 5.11535e-012  
第28面
K = 0.00000e+000  A 4=-4.90424e-005  A 6=-2.47272e-007  A 8= 3.25583e-009  
第29面
K = 0.00000e+000  A 4=-4.47195e-005  A 6=-1.49024e-007  A 8= 2.93480e-009  A10=-9.51658e-012  
【００７８】
各種データ
ズーム比     7.83 
広角     中間     望遠
焦点距離      18.56    48.87   145.41  
Fナンバー      3.60     5.56     6.49  
半画角（度）  36.35    15.62     5.37  
像高          13.66    13.66    13.66  
レンズ全長   103.26   118.62   145.33  
BF            10.65    10.65    10.65  
d 5            0.60    15.03    39.50  
d13           24.58     9.87     1.94  
d18            2.75     2.30     2.95  
d21            1.54     1.99     1.34  
d24            1.40     3.27     1.40  
d27           12.39    10.52    12.39  
d29            0.80    16.44    26.62  
【００７９】
ズームレンズ群データ
群  始面    焦点距離  
1    1      75.07  
2    6     -15.20  
3   14      35.51  
4   19      39.62  
5   22      52.89  
6   25     -30.80  
7   28     -79.01  
8   30      74.03  
9   32       ∞    
【００８０】
［数値データ２］
単位 mm
面データ
面番号       r        d      nd         νd
1         86.045    1.60   1.91082    35.3           
2         48.179    6.86   1.49700    81.5           
3       4744.243    0.15                             
4         46.795    5.54   1.59522    67.7           
5        312.932  (可変)                             
6         61.452    1.10   1.95375    32.3           
7         13.194    6.08                             
8        -31.251    0.80   1.77250    49.6           
9         57.494    0.15                             
10         28.832    4.38   1.84666    23.9           
11        -33.162    0.86                             
12        -20.686    0.85   1.69680    55.5           
13        -70.643  (可変)                             
14(絞り)    ∞       0.70                             
15*        13.405    4.97   1.58313    59.4           
16*       -63.231    0.37                             
17         27.127    1.10   1.83481    42.7           
18         13.120  (可変)                             
19         31.438    0.60   1.90366    31.3           
20         13.041    3.08   1.69680    55.5           
21        -81.642  (可変)                             
22        169.304    3.29   1.51633    64.1           
23        -13.778    0.78   2.00069    25.5           
24        -17.907  (可変)                             
25         79.571    1.61   1.89286    20.4           
26        -79.765    0.78   1.74950    35.3           
27         15.587  (可変)                             
28*       -12.952    1.80   1.53110    55.9           
29*       -20.577  (可変)                             
30        -69.345    2.67   1.76200    40.1           
31        -30.632  (可変)                             
32          ∞       1.00   1.54400    60.0           
33          ∞       0.5                             
像面        ∞   
【００８１】
非球面データ
第15面
K = 0.00000e+000  A 4=-3.88027e-005  A 6=-1.80264e-007  A 8= 4.64080e-009  A10=-3.02070e-011  
第16面
K = 0.00000e+000  A 4= 4.28693e-005  A 6=-9.94431e-008  A 8= 4.72455e-009  A10=-2.39016e-011  
第28面
K = 0.00000e+000  A 4= 2.03204e-005  A 6=-5.39042e-007  A 8= 1.77040e-010  
第29面
K = 0.00000e+000  A 4= 3.75681e-006  A 6=-4.77797e-007  A 8= 1.90907e-009  A10=-9.76077e-012  
【００８２】
各種データ
ズーム比     7.81 
広角     中間     望遠
焦点距離      18.56    41.27   145.00  
Fナンバー      3.61     5.19     5.78  
半画角（度）  36.35    18.32     5.38  
像高          13.66    13.66    13.66  
レンズ全長   104.32   114.50   149.88  
BF             8.75    13.32    22.09  
d 5            0.85    11.69    43.48  
d13           24.34     9.94     1.50  
d18            2.71     3.07     4.20  
d21            2.63     2.28     1.15  
d24            2.87     4.86     1.02  
d27           11.25     9.25    13.09  
d29            0.80     9.97    13.23  
d31            7.60    12.17    20.95  
【００８３】
ズームレンズ群データ
群  始面    焦点距離  
1    1      78.86  
2    6     -15.56  
3   14      37.49  
4   19      46.99  
5   22      41.09  
6   25     -29.11  
7   28     -71.68  
8   30      69.92  
9   32       ∞    
【００８４】
［数値データ３］
単位 mm
面データ
面番号       r        d      nd         νd
1         88.966    1.60   1.91082    35.3           
2         47.624    7.68   1.49700    81.5           
3       2695.834    0.15                             
4         42.405    5.09   1.59522    67.7           
5        232.919  (可変)                             
6         48.358    1.10   1.95375    32.3           
7         13.430    7.23                             
8        -34.297    0.80   1.77250    49.6           
9         57.346    0.15                             
10         27.869    4.63   1.84666    23.9           
11        -39.295    1.77                             
12        -21.181    0.85   1.69680    55.5           
13       -136.800  (可変)                             
14(絞り)    ∞       0.70                             
15*        13.435    5.21   1.58313    59.4           
16*       -74.693    0.12                             
17         30.814    1.10   1.83481    42.7           
18         13.080  (可変)                             
19         35.714    0.60   1.90366    31.3           
20         16.709    3.03   1.69680    55.5           
21        -67.722  (可変)                             
22       4494.512    3.29   1.51633    64.1           
23        -13.661    0.78   2.00069    25.5           
24        -17.665  (可変)                             
25        117.149    1.43   1.89286    20.4           
26        -97.979    0.78   1.74950    35.3           
27         21.843  (可変)                             
28*       -18.070    1.50   1.63943    63.3
29*       -21.894  (可変)                             
30          ∞       1.00   1.54400    60.0           
31          ∞       0.5                             
像面        ∞   
【００８５】
非球面データ
第15面
K = 0.00000e+000  A 4=-4.41745e-005  A 6=-3.50788e-007  A 8= 5.87301e-009  A10=-8.92483e-011  
第16面
K = 0.00000e+000  A 4= 2.93816e-005  A 6=-3.61041e-007  A 8= 7.27687e-009  A10=-1.09249e-010  
第28面
K = 0.00000e+000  A 4=-3.54701e-005  A 6=-2.87353e-008  A 8= 1.38320e-010  
第29面
K = 0.00000e+000  A 4=-3.43634e-005  A 6=-1.67039e-008  A 8= 1.36983e-011  
【００８６】
各種データ
ズーム比     7.81 
広角     中間     望遠
焦点距離      18.57    37.99   144.91  
Fナンバー      3.60     4.71     6.49  
半画角（度）  36.34    19.78     5.39  
像高          13.66    13.66    13.66  
レンズ全長   109.16   114.23   153.71  
BF            11.15    21.99    41.41  
d 5            0.85     9.50    38.46  
d13           24.80    10.39     1.48  
d18            2.91     2.72     2.88  
d21            2.50     2.70     2.54  
d24            3.95     7.22     2.90  
d27           13.40    10.14    14.46  
d29           10.00    20.84    40.27  
【００８７】
ズームレンズ群データ
群  始面    焦点距離  
1    1      77.82  
2    6     -14.77  
3   14      46.22  
4   19      43.50  
5   22      45.28  
6   25     -40.16  
7   28    -191.02  
8   30       ∞    
【００８８】
［数値データ４］
単位 mm
面データ
面番号       r        d      nd         νd
1         76.578    1.00   1.91082    35.3           
2         41.948    4.80   1.49700    81.5           
3        566.120    0.15                             
4         36.046    4.83   1.59522    67.7           
5        162.945  (可変)                             
6         74.066    1.00   1.95375    32.3           
7         11.871    5.77                             
8        -32.498    0.70   1.77250    49.6           
9         52.700    0.15                             
10         27.298    4.25   1.84666    23.9           
11        -31.715    0.77                             
12        -20.842    0.70   1.69680    55.5           
13        -55.629  (可変)                             
14(絞り)    ∞       0.70                             
15*        13.241    4.05   1.58313    59.4           
16*       -74.360    0.98                             
17         32.966    0.70   1.83481    42.7           
18         13.202  (可変)                             
19         36.593    0.60   1.90366    31.3           
20         16.376    2.30   1.69680    55.5           
21        -73.222  (可変)                             
22        102.240    3.29   1.51633    64.1           
23        -12.897    0.70   2.00069    25.5           
24        -17.535  (可変)                             
25       -566.065    1.67   1.89286    20.4           
26        -30.405    0.70   1.74950    35.3           
27         21.534  (可変)                             
28          ∞       1.00   1.54400    60.0           
29          ∞       0.69                             
像面        ∞   
【００８９】
非球面データ
第15面
K = 0.00000e+000  A 4=-3.72943e-005  A 6=-6.42366e-007  A 8= 1.29515e-008  A10=-1.58338e-010  
第16面
K = 0.00000e+000  A 4= 3.40048e-005  A 6=-7.11591e-007  A 8= 1.62164e-008  A10=-1.87940e-010  
【００９０】
各種データ
ズーム比     7.40 
広角     中間     望遠
焦点距離      17.98    28.29   133.11  
Fナンバー      3.60     4.15     6.49  
半画角（度）  37.23    25.78     5.86  
像高          13.66    13.66    13.66  
レンズ全長    99.01   100.39   147.68  
BF            24.78    28.43    62.75  
d 5            0.60     7.24    35.61  
d13           24.88    14.82     3.00  
d18            1.55     1.52     4.12  
d21            2.76     2.17     1.01  
d24            4.65     6.42     1.38  
d27           23.45    27.09    61.42  
【００９１】
ズームレンズ群データ
群  始面    焦点距離  
1    1      70.88  
2    6     -14.99  
3   14      47.65  
4   19      46.63  
5   22      40.02  
6   25     -31.58  
7   28       ∞    
【００９２】
［数値データ５］
単位 mm
面データ
面番号       r        d      nd         νd
1         87.156    1.60   1.91082    35.3           
2         48.649    6.57   1.49700    81.5           
3       3251.681    0.15                             
4         49.525    5.44   1.59522    67.7           
5        393.224  (可変)                             
6         63.989    1.10   1.95375    32.3           
7         13.906    6.28                             
8        -31.106    0.80   1.77250    49.6           
9         54.333    0.15                             
10         28.617    6.11   1.84666    23.9           
11        -33.723    1.14                             
12        -21.073    0.85   1.69680    55.5           
13        -99.681  (可変)                             
14(絞り)    ∞       0.70                             
15*        13.370    4.85   1.58313    59.4           
16*       -70.442    0.17                             
17         28.532    1.10   1.83481    42.7           
18         12.982  (可変)                             
19         29.774    0.60   1.90366    31.3           
20         14.573    3.10   1.69680    55.5           
21        -92.072  (可変)                             
22        232.914    3.29   1.51633    64.1           
23        -13.527    0.78   2.00069    25.5           
24        -17.992  (可変)                             
25         70.296    1.58   1.89286    20.4           
26        -93.130    0.78   1.74950    35.3           
27         14.746  (可変)                             
28*       -14.237    1.80   1.53110    55.9           
29*       -20.578  (可変)                             
30       -428.585    3.54   1.76200    40.1           
31        -42.231  (可変)                             
32          ∞       1.00   1.54400    60.0           
33          ∞       1.00                             
像面        ∞   
【００９３】
非球面データ
第15面
K = 0.00000e+000  A 4=-3.71077e-005  A 6=-1.56403e-007  A 8= 3.22186e-009  A10=-2.86006e-011  
第16面
K = 0.00000e+000  A 4= 3.97164e-005  A 6=-1.63120e-007  A 8= 5.73872e-009  A10=-5.10080e-011  
第28面
K = 0.00000e+000  A 4= 2.04187e-005  A 6=-4.62023e-007  A 8= 9.67100e-010  
第29面
K = 0.00000e+000  A 4= 6.73808e-006  A 6=-4.28694e-007  A 8= 1.70659e-009  A10=-7.03336e-012  
【００９４】
各種データ
ズーム比     9.96 
広角     中間     望遠
焦点距離      18.56    39.37   184.95  
Fナンバー      3.61     5.11     6.49  
半画角（度）  36.35    19.13     4.22  
像高          13.66    13.66    13.66  
レンズ全長   110.65   121.29   164.53  
BF             8.65    10.60    12.43  
d 5            0.85    11.04    47.15  
d13           25.44    11.84     1.49  
d18            2.57     2.93     3.55  
d21            3.23     3.15     3.03  
d24            2.86     5.26     1.57  
d27           13.77     9.68    14.81  
d29            0.80    14.32    28.01  
d31            7.00     8.95    10.78  
【００９５】
ズームレンズ群データ
群  始面    焦点距離  
1    1      81.59  
2    6     -15.02  
3   14      42.27  
4   19      42.44  
5   22      44.14  
6   25     -27.98  
7   28     -96.48  
8   30      61.24  
9   32       ∞    
【００９６】
【表１】
2018036364.tif 000004
【符号の説明】
【００９７】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
Ｌ７  第７レンズ群      Ｌ８  第８レンズ群      ＩＳ  防振群
【図１】
2018036364.tif 000005
【図２】
2018036364.tif 000006
【図３】
2018036364.tif 000007
【図４】
2018036364.tif 000008
【図５】
2018036364.tif 000009
【図６】
2018036364.tif 000010
【図７】
2018036364.tif 000011
【図８】
2018036364.tif 000012
【図９】
2018036364.tif 000013
【図１０】
2018036364.tif 000014
【図１１】
2018036364.tif 000015
【図１２】
2018036364.tif 000016
【図１３】
2018036364.tif 000017
【図１４】
2018036364.tif 000018
【図１５】
2018036364.tif 000019
【図１６】
2018036364.tif 000020
【図１７】
2018036364.tif 000021
【図１８】
2018036364.tif 000022
【図１９】
2018036364.tif 000023
【図２０】
2018036364.tif 000024
【図２１】
2018036364.tif 000025